(57)【要約】【課題】構造を簡素化しつつ、ハウジングの内部空間の水を重力により外部へ速やかに排出する一方、外部からハウジングの内部空間への水の侵入を抑制する。【解決手段】電動モータは、水平方向に延びる筒状のステータフレーム２５を有するモータハウジング２４を備える。ステータフレーム２５には、モータハウジング２４の内部空間４２に溜まる水を外部に排出する排水通路４４が形成される。排水通路４４は、モータハウジング２４の内部空間４２側から重力方向下方へ延びる上流側通路部４５と、上流側通路部４５に対して重力方向で重ならない位置においてモータハウジング２４の外面側から重力方向上方に延びる下流側通路部４７と、上流側通路部４５の下端部と下流側通路部４７の上端部との間を連通する中間通路部４６とにより構成される。【選択図】図４
2017153264.tif 000002
【特許請求の範囲】
【請求項１】
水平方向に延びる筒状の周壁部を有するハウジングを備えている回転電機であって、
前記ハウジングの周壁部には、該ハウジングの内部空間に溜まる水を外部に排出する排水通路が形成され、
前記排水通路は、前記ハウジングの内部空間側から重力方向下方へ延びる上流側通路部と、前記上流側通路部に対して重力方向で重ならない位置において前記ハウジングの外面側から重力方向上方に延びる下流側通路部と、前記上流側通路部の下端部と前記下流側通路部の上端部との間を連通する中間通路部とにより構成されている回転電機。
【請求項２】
請求項１に記載の回転電機であって、
前記排水通路の中間通路部は、前記上流側通路部との上流側接続部から前記下流側通路部との下流側接続部に向かって上方へ斜めに傾斜している回転電機。
【請求項３】
請求項１又は２に記載の回転電機であって、
前記ハウジングは、前記周壁部を有するハウジング本体と該ハウジング本体の周壁部の端面に接合される取付部材とを有し、
前記排水通路は、前記ハウジングのハウジング本体の周壁部と取付部材との間の接合面のうちの一方の接合面に溝状に形成されている回転電機。
【請求項４】
請求項１〜３のいずれか１つに記載の回転電機であって、
前記ハウジングは、水が溜まる複数の凹部を有し、
前記排水通路は、前記複数の凹部のうちの少なくとも１つの凹部に対応して形成されている回転電機。
【請求項５】
請求項１〜４のいずれか１つに記載の回転電機であって、
前記ハウジングの外面には、前記排水通路の下流側通路部の下端開口部の周辺部を覆う遮蔽部材が設けられ、
前記ハウジングと前記遮蔽部材との間、及び／又は、遮蔽部材には、前記排水通路の下流側通路部の下端開口部に対して重力方向で重ならない位置において開口する排水部が形成されている回転電機。
【発明の詳細な説明】
【技術分野】
【０００１】
本発明は、電動機、発電機等の回転電機に関する。
【背景技術】
【０００２】
電動機、発電機等の回転電機、特に完全防水型以外の回転電機では、ハウジングの内部空間への水の侵入が想定される。また、寒冷地等では、結露によってハウジングの内部空間での水の発生が想定される。このため、ハウジングの内部空間に溜まる水を外部に排出するため、ハウジングには、水を重力により流下させて排出する排水通路が設けられている。一般的な排水通路は、鉛直方向に沿って直線的に形成されている。しかしながら、直線的な排水通路では、外部の水がハウジングの内部空間に侵入しやすいという問題が生じる。このような問題を解決するものとして、例えば特許文献１が提案されている。
【０００３】
特許文献１のモータでは、水平方向に延びる筒状のケーシングの下部には、両端面に開口する中空状のドレイン室が区画されている。ドレイン室の上壁には、ケーシングの内部空間とドレイン室とを連通する上部ドレイン孔が形成されている。ドレイン室の下壁には、ドレイン室と外部とを連通する下部ドレイン孔が形成されている。ドレイン室の内部には、上部ドレイン孔と下部ドレイン孔とをつなぐラビリンスが形成されている。ラビリンスは、ドレイン室の上壁と下壁とを接続するＴ字状の隔壁によって構成されている。したがって、ケーシングの内部空間の水は、上部ドレイン孔、ドレイン室のラビリンス、及び、下部ドレイン孔を通じて外部に排出される。一方、外部からハウジングの内部空間への水の侵入いわゆる逆流は、ドレイン室のラビリンスによって抑制される。
【先行技術文献】
【特許文献】
【０００４】
【特許文献１】特開２００６―３４５６７４号公報
【発明の概要】
【発明が解決しようとする課題】
【０００５】
特許文献１のモータでは、ドレイン室に対してＴ字状の隔壁によるラビリンスを形成しなければならず、構造が複雑化するという問題が残る。また、ラビリンスによって、ケーシングの内部空間の水の排出性が低下するおそれもある。本発明が解決しようとする課題は、構造を簡素化しつつ、ハウジングの内部空間の水を重力により外部へ速やかに排出する一方、外部からハウジングの内部空間への水の侵入を抑制することのできる回転電機を提供することにある。
【課題を解決するための手段】
【０００６】
第１の発明は、水平方向に延びる筒状の周壁部を有するハウジングを備えている回転電機であって、前記ハウジングの周壁部には、該ハウジングの内部空間に溜まる水を外部に排出する排水通路が形成され、前記排水通路は、前記ハウジングの内部空間側から重力方向下方へ延びる上流側通路部と、前記上流側通路部に対して重力方向で重ならない位置において前記ハウジングの外面側から重力方向上方に延びる下流側通路部と、前記上流側通路部の下端部と前記下流側通路部の上端部との間を連通する中間通路部とにより構成されている。この構成によると、ハウジングの周壁部に形成された排水通路が上流側通路部と下流側通路部と中間通路部とにより構成されているため、特許文献１と比べて、排水通路の構造を簡素化することができる。また、排水通路が上流側通路部と下流側通路部と中間通路部とにより非直線的で一連状の通路として構成されるため、ハウジングの内部空間の水を重力により外部へ速やかに排出することができる。一方、外部からハウジングの内部空間への水の侵入いわゆる逆流を抑制することができる。
【０００７】
第２の発明は、第１の発明において、前記排水通路の中間通路部は、前記上流側通路部との上流側接続部から前記下流側通路部との下流側接続部に向かって上方へ斜めに傾斜している。この構成によると、排水通路の中間通路部の下流側接続部が上流側接続部よりも高い位置に配置されるため、下流側通路部の重力方向の長さを長くとることができる。このため、仮に外部からの水が下流側通路部に侵入したとしても、その水を下流側通路部において速やかに排出することができ、中間通路部への逆流を抑制することができる。
【０００８】
第３の発明は、第１又は２の発明において、前記ハウジングは、前記周壁部を有するハウジング本体と該ハウジング本体の周壁部の端面に接合される取付部材とを有し、前記排水通路は、前記ハウジングのハウジング本体の周壁部と取付部材との間の接合面のうちの一方の接合面に溝状に形成されている。この構成によると、ハウジング本体の周壁部と取付部材との接合前において、一方の接合面に対する加工、例えばエンドミル、ドリル等による切削加工によって、溝状の排水通路を容易に形成することができる。また、ハウジング本体の周壁部と取付部材との接合によって、一方の接合面の溝状の排水通路の開放面が他方の接合面によって閉鎖されるため、閉じ断面の排水通路を容易に形成することができる。
【０００９】
第４の発明は、第１〜３のいずれかの発明において、前記ハウジングは、水が溜まる複数の凹部を有し、前記排水通路は、前記複数の凹部のうちの少なくとも１つの凹部に対応して形成されている。
【００１０】
第５の発明は、第１〜４のいずれかの発明において、前記ハウジングの外面には、前記排水通路の下流側通路部の下端開口部の周辺部を覆う遮蔽部材が設けられ、前記ハウジングと前記遮蔽部材との間、及び／又は、遮蔽部材には、前記排水通路の下流側通路部の下端開口部に対して重力方向で重ならない位置において開口する排水部が形成されている。この構成によると、外部から排水通路の下流側通路部へ侵入しようとする水を、遮蔽部材によって遮断することができる。また、下流側通路部から排出された水は、排水部から外部へ排出することができる。
【図面の簡単な説明】
【００１１】
【図１】実施形態１にかかる電動モータを示す断面図である。
【図２】図１のII部の拡大図である。
【図３】電動モータのステータフレームと前側のモータカバーとを分解して示す斜視図である。
【図４】ステータフレームの前端面の排水通路を示す正面図である。
【図５】実施形態２にかかるステータフレームの前端面の排水通路を示す正面図である。
【図６】実施形態３にかかるステータフレームの前端面の排水通路を示す正面図である。
【図７】実施形態４にかかるステータフレームの前端面の排水通路を示す正面図である。
【図８】実施形態５にかかるステータフレームの前端面の排水通路を示す正面図である。
【図９】実施形態６にかかるステータフレームの排水通路を示す断面図である。
【図１０】実施形態７にかかるステータフレームの前端面の排水通路を示す正面図である。
【図１１】実施形態８にかかるステータフレームの前端面の排水通路を示す正面図である。
【発明を実施するための形態】
【００１２】
以下、本発明を実施するための形態について図面を用いて説明する。
【００１３】
［実施形態１］本実施形態では、産業車両としてのフォークリフトのパワーユニットに用いられる電動モータを例示する。図１は電動モータを示す断面図である。図１に示すように、パワーユニット１０は、エンジン（内燃機関）１２、電動モータ１４及びオイルポンプ１６とにより構成されている。電動モータ１４は、エンジン１２とオイルポンプ１６との間に配置されている。フォークリフトに対するパワーユニット１０の搭載状態において、エンジン１２、電動モータ１４及びオイルポンプ１６は、水平方向（図１において左右方向）に列状に並んでいる。なお、便宜上、エンジン１２側を前側とし、オイルポンプ１６側を後側として説明を行う。
【００１４】
エンジン１２のエンジンハウジング１８の後面側から、出力軸としてのクランクシャフト１９の後端部が突出されている。クランクシャフト１９の後端部には、小径の接続軸部１９ａが同軸状に形成されている。また、オイルポンプ１６のポンプハウジング２１の前面側から、駆動軸としてのポンプシャフト２２の前端部が突出されている。ポンプシャフト２２の前端部には、小径の接続軸部２２ａが同軸状に形成されている。なお、エンジンハウジング１８は、不図示のシリンダブロック、クランクケース、シリンダヘッド、シリンダヘッドカバー及びオイルパン等を備えている。
【００１５】
電動モータ１４のモータハウジング２４は、ステータフレーム２５と前側のモータカバー２６と後側のモータカバー２７とを備えている。ステータフレーム２５は、円筒状に形成されている。ステータフレーム２５は、水平方向（図１において左右方向）に延びている。なお、モータハウジング２４は本明細書でいう「ハウジング」に相当する。また、ステータフレーム２５は本明細書でいう「ハウジングの周壁部」に相当する。
【００１６】
前側のモータカバー２６は、円環板状に形成されたカバー板部３１と、カバー板部３１の外周部から後方へ突出された円筒状の周壁部３２とを有している。前側のモータカバー２６は、ステータフレーム２５の前側の開口端面を閉鎖するように配置されている。前側のモータカバー２６とステータフレーム２５とは、締結等により結合されている。前側のモータカバー２６の前側には、エンジンハウジング１８が締結等により結合されている。前側のモータカバー２６の周壁部３２の後端面３２ａは、ステータフレーム２５の前端面２５ａに対して面接触状に接合されている。周壁部３２の後端面３２ａとステータフレーム２５の前端面２５ａとは、同一形状又は略同一形状で形成されている。なお、ステータフレーム２５の前端面２５ａ、及び、前側のモータカバー２６の周壁部３２の後端面３２ａは本明細書でいう「接合面」に相当する。
【００１７】
後側のモータカバー２７は、円環板状に形成されている。後側のモータカバー２７は、ステータフレーム２５の後側の開口端面を閉鎖するように配置されている。後側のモータカバー２７とステータフレーム２５とは、締結等により結合されている。後側のモータカバー２７の後側には、ポンプハウジング２１が締結等により結合されている。後側のモータカバー２７の前端面２７ａの外周端部は、ステータフレーム２５の後端面２５ｂに対して面接触状に接合されている。モータハウジング２４を構成するステータフレーム２５、前側のモータカバー２６及び後側のモータカバー２７は、いずれも金属製である。
【００１８】
ステータフレーム２５内には、リング状のステータ３４が固定状態に配置されている。ステータ３４は、不図示のステータコアにコイルが巻回されてなる。また、ステータフレーム２５内の半径方向中心部には、中空軸状のモータシャフト３６が水平状態で回転可能に配置されている。モータシャフト３６の前端部には、半径方向外方へ延出された円板状のフランジ３７が一体形成されている。フランジ３７の外周部は、前側のモータカバー２６とステータ３４との間の空間部に延出されている。フランジ３７の外周部にはスタータ用リングギヤ（不図示）が設けられている。
【００１９】
モータシャフト３６上には、リング状のロータ３８が固定状態に配置されている。ロータ３８は、モータシャフト３６と一体で回転する。ロータ３８は、不図示のロータコアの外周部に複数の磁石（不図示）が周方向に沿って配置されてなる。ロータ３８とステータ３４とは同軸状に配置されている。ロータ３８の外周面とステータ３４（詳しくはステータコア）の内周面とは、所定のエアギャップを介して対峙している。
【００２０】
モータシャフト３６の前端部には、エンジン１２のクランクシャフト１９の接続軸部１９ａが動力伝達可能に接続されている。また、モータシャフト３６の後端部には、オイルポンプ１６のポンプシャフト２２の接続軸部２２ａが動力伝達可能に接続されている。モータシャフト３６とポンプシャフト２２との間には、ダンパー４０が介在されている。ダンパー４０は、モータシャフト３６とポンプシャフト２２との間に生じるトルク変動を吸収する。
【００２１】
電動モータ１４は、モータハウジング２４にモータシャフト３６を回転可能に支持する軸受を有しない軸受レスモータである。また、エンジン１２の始動時には、スタータモータ（不図示）によりリングギヤを介してフランジ３７がモータシャフト３６とともに回転されることでエンジン１２が始動される。なお、電動モータ１４は本明細書でいう「回転電機」に相当する。
【００２２】
前記したパワーユニット１０（図１参照）において、電動モータ１４が発電機として作動する場合には、エンジン１２が電動モータ１４とオイルポンプ１６の駆動源となり、電動モータ１４はバッテリを充電する。また、電動モータ１４が電動機として作動する場合には、エンジン１２と電動モータ１４のうちの少なくとも電動モータ１４がオイルポンプ１６の駆動源となる。オイルポンプ１６は荷役用の油圧を発生する。また、バッテリは電動モータ１４及び走行用モータの電源となる。
【００２３】
続いて、電動モータ１４のモータハウジング２４の内部空間４２に溜まる水を外部に排出する排水通路４４について説明する。図１に示すように、排水通路４４は、フォークリフトに対するパワーユニット１０の搭載状態において重力方向の下端部に設けられている。図２は図１のII部の拡大図、図３は電動モータのステータフレームと前側のモータカバーとを分解して示す斜視図である。
【００２４】
図２に示すように、排水通路４４は、ステータフレーム２５と前側のモータカバー２６との接合面間、すなわちステータフレーム２５の前端面２５ａと前側のモータカバー２６の周壁部３２の後端面３２ａとの間に形成されている。詳しくは、排水通路４４は、モータハウジング２４のステータフレーム２５の前端面２５ａに溝状に形成されている（図３参照）。排水通路４４は、ステータフレーム２５と前側のモータカバー２６との接合前において、ステータフレーム２５の前端面２５ａに対する加工、例えばエンドミル、ドリル等による切削加工によって形成されている。また、ステータフレーム２５と前側のモータカバー２６との接合によって、ステータフレーム２５の溝状の排水通路４４の開放面（前端面２５ａ側の面）が前側のモータカバー２６の周壁部３２の後端面３２ａによって閉鎖されている。これによって、閉じ断面の排水通路４４が形成されている。
【００２５】
図４はステータフレームの前端面の排水通路を示す正面図である。図４に示すように、排水通路４４は、一連状に連なる上流側通路部４５と中間通路部４６と下流側通路部４７とを有している。上流側通路部４５は、モータハウジング２４の内部空間４２側から重力方向下方へ延びている。上流側通路部４５は、ステータフレーム２５を貫通しない深さで形成されている。上流側通路部４５の上端開口部は、モータハウジング２４の内部空間４２に開口され、かつ、ステータフレーム２５の内周面における重力方向の最下部に配置されている。
【００２６】
下流側通路部４７は、ステータフレーム２５の外面側（下面側）から重力方向上方に延びている。下流側通路部４７は、上流側通路部４５に対して横方向（図４において右方）にオフセットした位置に配置されている。すなわち、下流側通路部４７は、上流側通路部４５に対して重力方向で重ならない位置に配置されている。下流側通路部４７は、ステータフレーム２５を貫通しない深さ（高さ）で形成されている。下流側通路部４７の下端開口部は、外部に開口されている。
【００２７】
中間通路部４６は、上流側通路部４５の下端部と下流側通路部４７の上端部との間を連通している。上流側通路部４５と中間通路部４６との接続部を上流側接続部４９という。また、中間通路部４６と下流側通路部４７との接続部を下流側接続部５０という。中間通路部４６は、上流側接続部４９から下流側接続部５０に向かって上方へ斜めに傾斜している。
【００２８】
排水通路４４の各通路部４５，４６，４７は、所定の溝幅Ｗ（図４参照）、及び、所定の溝深さＤ（図２参照）をもって一筆書き状に形成されている。なお、ステータフレーム２５は本明細書でいう「ハウジング本体」に相当する。また、前側のモータカバー２６後側のモータカバー２７は本明細書でいう「取付部材」に相当する。
【００２９】
前記した電動モータ１４のモータハウジング２４の内部空間４２へ侵入した水や、結露によってモータハウジング２４の内部空間４２に発した水は、モータハウジング２４の重力方向で最下部となる位置すなわち排水通路４４の上流側通路部４５の上端開口部に集まる。その水は、重力により上流側通路部４５、中間通路部４６及び下流側通路部４７を通過した後、外部へ排出される（図４中、矢印参照）。
【００３０】
ところで、中間通路部４６の下流側接続部５０が上流側接続部４９よりも高い位置に配置されている。このため、水は、上流側接続部４９の周辺部において一次的に貯留され、その水位が下流側接続部５０の内角側角部５０ａを越えたときに、下流側通路部４７を通じて外部へ排出される。また、雨天走行時や洗車時等において、外部の水が排水通路４４の下流側通路部４７の下端開口部にかかるような場合において、外部の水が下流側通路部４７に侵入したとしても、下流側接続部５０の内角側角部５０ａを越えるまでは、その水は下流側通路部４７から外部へ排出される。このため、外部から下流側通路部４７に侵入した水は、下流側接続部５０の内角側角部５０ａを越えない又はほとんど超えない。
【００３１】
前記した電動モータ１４によると、モータハウジング２４のステータフレーム２５に形成された排水通路４４が上流側通路部４５と下流側通路部４７と中間通路部４６とにより構成されているため、特許文献１と比べて、排水通路４４の構造を簡素化することができる。また、排水通路４４が上流側通路部４５と下流側通路部４７と中間通路部４６とにより非直線的で一連状の通路として構成されるため、モータハウジング２４の内部空間４２の水を重力により外部へ速やかに排出することができる。一方、外部からモータハウジング２４の内部空間４２への水の侵入いわゆる逆流を抑制することができる。
【００３２】
また、排水通路４４の中間通路部４６は、上流側接続部４９から下流側接続部５０に向かって上方へ斜めに傾斜している。したがって、排水通路４４の中間通路部４６の下流側接続部５０が上流側接続部４９よりも高い位置に配置されるため、下流側通路部４７の重力方向の長さ（高さ）を長く（高く）とることができる。このため、仮に外部からの水が下流側通路部４７に侵入したとしても、その水を下流側通路部４７において速やかに排出することができ、中間通路部４６への逆流を抑制することができる。
【００３３】
また、排水通路４４は、モータハウジング２４のステータフレーム２５の前端面２５ａに溝状に形成されている。したがって、ステータフレーム２５と前側のモータカバー２６との接合前において、ステータフレーム２５の前端面２５ａに対する加工、例えばエンドミル、ドリル等による切削加工によって、溝状の排水通路４４を容易に形成することができる。また、ステータフレーム２５と前側のモータカバー２６との接合によって、ステータフレーム２５の前端面２５ａの溝状の排水通路４４の開放面が前側のモータカバー２６の周壁部３２の後端面３２ａによって閉鎖されるため、閉じ断面の排水通路４４を容易に形成することができる。
【００３４】
［実施形態２］
実施形態２を説明する。実施形態２以降の実施形態は、実施形態１に変更を加えたものであるから、その変更部分について説明し、重複する説明は省略する。実施形態２は、実施形態１（図４参照）の排水通路４４に変更を加えたものである。図５はステータフレームの前端面の排水通路を示す正面図である。図５に示すように、下流側通路部（符号、５１を付す）は、上端部から下端部に向かって溝幅５１Ｗを次第に小さくするテーパー状に形成されている。本実施形態によると、外部からの水が排水通路４４の下流側通路部５１へ侵入しにくくすることができる。
【００３５】
［実施形態３］実施形態３は、実施形態１（図４参照）のステータフレーム２５に変更を加えたものである。図６はステータフレームの前端面の排水通路を示す正面図である。図６に示すように、ステータフレーム２５の内周面の下部には、水が溜まる複数（図６では３つを示す）の凹部、すなわち第１凹部５２、第２凹部５３及び第３凹部５４を有している。各凹部５２，５３，５４は、水平方向（図６において左右方向）に波形状に連続的に形成されている。第２凹部５３の重力方向の最下部は、第１凹部５２の重力方向の最下部よりも低い位置に配置されている。第３凹部５４の重力方向の最下部は、第２凹部５３の重力方向の最下部よりも低い位置に配置されている。排水通路４４は、各凹部５２，５３，５４にそれぞれ対応して形成されている。各排水通路４４の上流側通路部４５の上端開口部は、各凹部５２，５３，５４における重力方向の最下部に配置されている。
【００３６】
本実施形態によると、各凹部５２，５３，５４に溜まる水を各排水通路４４からそれぞれ外部へ速やかに排出することができる。なお、排水通路４４は、各凹部５２，５３，５４のうち少なくとも１つの凹部に対応して形成されていればよい。この場合、１つの排水通路４４は、重力方向の最下部が最も低い位置に配置される第３凹部５４に対応して形成するとよい。この場合、第１凹部５２であふれた水は第２凹部５３へ流出し、また、第２凹部５３であふれた水は第３凹部５４へ流出し、最終的に第３凹部５３の排水通路４４から外部へ排出される。
【００３７】
［実施形態４］実施形態４は、実施形態１（図４参照）に遮蔽部材を追加したものである。図７はステータフレームの前端面の排水通路を示す正面図である。図７に示すように、ステータフレーム２５の外周面には、半球状の遮蔽部材５６がボルト５７によって締着されている。遮蔽部材５６は、排水通路４４の下流側通路部４７の下端開口部の周辺部を覆っている。遮蔽部材５６の外周部には、凹溝状の排水部５６ａが形成されている。排水部５６ａは、下流側通路部４７の下端開口部に対して重力方向で重ならない位置において開口されている。本実施形態によると、外部から排水通路４４の下流側通路部４７へ侵入しようとする水を、遮蔽部材５６によって遮断することができる。また、下流側通路部４７から排出された水は、排水部５６ａから外部へ排出することができる。なお、排水部５６ａは、遮蔽部材５６を肉厚方向に貫通する貫通孔により形成してもよい。
【００３８】
［実施形態５］実施形態５は、実施形態１（図４参照）に遮蔽部材を追加したものである。図８はステータフレームの前端面の排水通路を示す正面図である。図８に示すように、ステータフレーム２５の外周面には、平板状の遮蔽部材５８がボルト５９によって締着されている。遮蔽部材５８は、排水通路４４の下流側通路部４７の下端開口部の周辺部を覆っている。ステータフレーム２５と遮蔽部材５８との間には、排水部６０が形成されている。排水部６０は、下流側通路部４７の下端開口部に対して重力方向で重ならない位置において開口されている。本実施形態によると、外部から排水通路４４の下流側通路部４７へ侵入しようとする水を、遮蔽部材５８によって遮断することができる。また、下流側通路部４７から排出された水は、排水部６０から外部へ排出することができる。
【００３９】
［実施形態６］実施形態６は、実施形態１（図４参照）の排水通路４４に変更を加えたものである。図９はステータフレームの排水通路を示す断面図である。図９において、左右方向は、ステータフレーム２５の軸方向に相当する。図９に示すように、排水通路４４は、モータハウジング２４のステータフレーム２５に貫通状に設けられている。排水通路４４の上流側通路部４５と下流側通路部４７とは、ステータフレーム２５の軸方向（図１０において左右方向）にオフセットした位置に配置されている。この場合、例えば鋳造等によりステータフレーム２５が成形され、その成形時に排水通路４４が形成されている。
【００４０】
［実施形態７］実施形態７は、実施形態１（図４参照）の排水通路４４に変更を加えたものである。図１０はステータフレームの前端面の排水通路を示す正面図である。図１０に示すように、排水通路４４の中間通路部（符号、６２を付す）は、上流側接続部４９から下流側接続部５０に向かって水平状に形成されている。すなわち、中間通路部６２は、重力方向に直交又は略直交する方向（図１０において左右方向）に延びている。これにより、上流側接続部４９と下流側接続部５０とは、同一又は略同一の高さ位置に配置されている。
【００４１】
［実施形態８］実施形態８は、実施形態１（図４参照）の排水通路４４に変更を加えたものである。図１１はステータフレームの前端面の排水通路を示す正面図である。図１１に示すように、排水通路４４の中間通路部（符号、６４を付す）は、上流側接続部４９から下流側接続部５０に向かって斜めに下方へ傾斜している。これにより、下流側接続部５０は、上流側接続部４９よりも低い位置に配置されている。
【００４２】
［他の実施形態］本発明は実施形態に限定されるものではなく、本発明の要旨を逸脱しない範囲における変更が可能である。例えば、本発明は、フォークリフトに限らず、油圧ショベル等の建設機械等のパワーユニットの電動モータにも適用することができる。また、本発明は、パワーユニット１０の電動モータ１４に限らず、各種の電動機、発電機等の回転電機に適用することができる。また、電動モータ１４は、モータハウジング２４にモータシャフト３６を回転可能に支持する軸受を有するモータでもよい。また、ステータフレーム２５は、後側の開口端面を閉鎖する端壁部を有するものでもよい。また、ハウジング本体は、ステータフレーム２５に限定するものではなく、水平方向に延びる筒状の周壁部を有する部材であればよい。また、取付部材は、モータカバー２６，２７に限定するものではなく、ハウジング本体の周壁部の端面に接合される部材であればよい。また、前側のモータカバー２６は、周壁部３２を省略し、カバー板部３１のみで形成してもよい。この場合、前側のモータカバー２６（カバー板部３１）の後端面が本明細書でいう「接合面」に相当する。
【００４３】
また、排水通路４４は、ハウジングの周壁部に形成されていればよく、ステータフレーム２５と前側のモータカバー２６との接合面以外の部位に形成してもよい。また、排水通路４４は、ハウジングの周壁部に複数設けてもよい。また、排水通路４４は、前側のモータカバー２６の周壁部３２の後端面３２ａに形成してもよい。また、排水通路４４は、ステータフレーム２５の後端面２５ｂ、又は、後側のモータカバー２７の前端面２７ａの外周端部に形成してもよい。この場合、後側のモータカバー２７は本明細書でいう「取付部材」に相当する。また、ステータフレーム２５の後端面２５ｂ、及び、後側のモータカバー２７の前端面２７ａは本明細書でいう「接合面」に相当する。
【符号の説明】
【００４４】
１４…電動モータ（回転電機）
２４…モータハウジング（ハウジング）
２５…ステータフレーム（ハウジング本体、周壁部）
２５ａ…前端面（接合面）
２６…前側のモータカバー（取付部材）
２７…後側のモータカバー（取付部材）
３２…周壁部
３２ａ…後端面（接合面）
４２…内部空間
４４…排水通路
４５…上流側通路部
４７…下流側通路部
４６…中間通路部
４９…上流側接続部
５０…下流側接続部
５１…下流側通路部
５２…第１凹部
５３…第２凹部
５４…第３凹部
５６…遮蔽部材
５６ａ…排水部
５８…遮蔽部材
６０…排水部
６２…中間通路部
６４…中間通路部
【図１】
2017153264.tif 000003
【図２】
2017153264.tif 000004
【図３】
2017153264.tif 000005
【図４】
2017153264.tif 000006
【図５】
2017153264.tif 000007
【図６】
2017153264.tif 000008
【図７】
2017153264.tif 000009
【図８】
2017153264.tif 000010
【図９】
2017153264.tif 000011
【図１０】
2017153264.tif 000012
【図１１】
2017153264.tif 000013